(57)【要約】【課題】媒体が適切に積載される媒体積載装置を提供すること。【解決手段】印刷装置１１の排出口１３から排出される媒体９９が積載される媒体積載装置３１であって、媒体積載装置は、媒体を受けるシート３２と、シートを巻き取る巻取軸３３と、を備える。【選択図】図１
2020138828.tif 000002
【特許請求の範囲】
【請求項１】
印刷装置の排出口から排出される媒体が積載される媒体積載装置であって、
前記媒体を受けるシートと、
前記シートを巻き取る巻取軸と、を備えることを特徴とする媒体積載装置。
【請求項２】
前記シートは、端部である第１端と、前記第１端とは反対に位置する端部である第２端とを有し、
前記第１端は、前記巻取軸に取り付けられ、
前記第２端は、前記印刷装置に取り付けられることを特徴とする請求項１に記載の媒体積載装置。
【請求項３】
前記第２端は、前記印刷装置が設置される設置面よりも高い位置且つ前記排出口よりも低い位置で前記印刷装置に取り付けられることを特徴とする請求項２に記載の媒体積載装置。
【請求項４】
前記シートは、端部である第１端と、前記第１端とは反対に位置する端部である第２端とを有し、
前記第１端は、前記巻取軸に取り付けられ、
前記巻取軸は、前記印刷装置に取り付けられることを特徴とする請求項１に記載の媒体積載装置。
【請求項５】
前記巻取軸は、前記印刷装置が設置される設置面よりも高い位置且つ前記排出口よりも低い位置で前記印刷装置に取り付けられることを特徴とする請求項４に記載の媒体積載装置。
【請求項６】
前記シートを引っ張るための第１調整具及び第２調整具を備え、
前記シートは、前記第１端及び前記第２端とは異なる端部である第３端と、前記第３端とは反対に位置する端部である第４端とを有し、
前記第１調整具は、前記第３端と前記印刷装置とに取り付けられ、
前記第２調整具は、前記第４端と前記印刷装置とに取り付けられることを特徴とする請求項２から請求項５の何れか一項に記載の媒体積載装置。
【請求項７】
前記第１調整具及び前記第２調整具は、前記シートを引っ張る力の大きさを段階的に調整可能に構成されることを特徴とする請求項６に記載の媒体積載装置。
【発明の詳細な説明】
【技術分野】
【０００１】
本発明は、媒体積載装置に関する。
【背景技術】
【０００２】
特許文献１には、媒体積載装置の一例として、流体噴射装置から排出される媒体が積載されるスタッカーが記載されている。このスタッカーは、未使用時には折りたたむことが可能な構成とされている。すなわち、未使用時においては、スタッカーのサイズを小さくできる。
【先行技術文献】
【特許文献】
【０００３】
【特許文献１】特開２０１１−３２０４５号公報
【発明の概要】
【発明が解決しようとする課題】
【０００４】
特許文献１に記載されるスタッカーにおいては、使用時におけるサイズが決まっている。そのため、排出される媒体のサイズによっては、スタッカーのサイズと合わない場合がある。この場合、媒体が適切に積載されないおそれがある。
【課題を解決するための手段】
【０００５】
上記課題を解決する媒体積載装置は、印刷装置の排出口から排出される媒体が積載される媒体積載装置であって、前記媒体を受けるシートと、前記シートを巻き取る巻取軸と、を備えることを特徴とする媒体積載装置。
【図面の簡単な説明】
【０００６】
【図１】媒体積載装置及び印刷装置の側面図。
【図２】媒体積載装置の斜視図。
【図３】第１調整具及び第２調整具によってシートの第３端及び第４端が引っ張られる場合の正面図。
【図４】シートの第３端及び第４端が引っ張られない場合の正面図。
【図５】媒体積載装置の変更例を示す側面図。
【発明を実施するための形態】
【０００７】
以下、印刷装置の一実施形態及び媒体積載装置の一実施形態について図を参照しながら説明する。印刷装置は、例えば、用紙等の媒体に液体の一例であるインクを吐出することによって、文字、写真等の画像を印刷するインクジェット式のプリンターである。媒体積載装置は、印刷装置によって印刷された媒体を受ける。
【０００８】
図１に示すように、印刷装置１１は、筐体１２を備える。筐体１２には、印刷された媒体９９が排出される排出口１３が形成される。本実施形態において、排出口１３は、筐体１２の前面に形成される。
【０００９】
印刷装置１１は、基台１４を備える。基台１４は、筐体１２を支持する。本実施形態において、基台１４の上方に筐体１２が位置する。本実施形態においては、鉛直方向における上方を、単に上方と表記し、鉛直方向における下方を、単に下方と表記する。
【００１０】
印刷装置１１は、設置面９１に設置される。設置面９１は、例えば、水平に広がる面である。本実施形態においては、基台１４が接触する床面が設置面９１とされる。
本実施形態の印刷装置１１は、媒体９９が巻き重ねられたロール体９８をセット可能に構成される。本実施形態において、ロール体９８は、筐体１２内の所定の位置に収容されることによってセットされる。印刷装置１１は、ロール体９８から繰り出される媒体９９に印刷する。
【００１１】
印刷装置１１は、媒体９９を搬送する搬送部１５を備える。本実施形態の搬送部１５は、筐体１２内に位置する。搬送部１５は、例えば、第１ローラー１６と第２ローラー１７とを含む。第１ローラー１６及び第２ローラー１７が媒体９９を挟み込む状態で回転することによって、媒体９９が搬送される。搬送部１５は、媒体９９をロール体９８から排出口１３に向けて搬送する。すなわち、搬送部１５は、筐体１２内において、筐体１２の後面から前面に向かうように媒体９９を搬送する。
【００１２】
印刷装置１１は、媒体９９に印刷する印刷部１８を備える。本実施形態の印刷部１８は、筐体１２内に位置する。印刷部１８は、媒体９９に向けて液体を吐出することによって、媒体９９に印刷する。印刷部１８は、搬送部１５によって搬送される媒体９９に印刷する。
【００１３】
印刷装置１１は、媒体９９を切断する切断部１９を備える。本実施形態の切断部１９は、筐体１２内に位置する。切断部１９は、例えば、第１回転刃２１と第２回転刃２２とを含む。第１回転刃２１及び第２回転刃２２が媒体９９を挟み込む状態で回転することによって、媒体９９が切断される。ロール体９８から連続する長尺の媒体９９は、切断部１９によって切断されると、ロール体９８から分離された単票の媒体９９となる。
【００１４】
印刷装置１１の排出口１３から排出される媒体９９は、媒体積載装置３１に積載される。本実施形態の媒体積載装置３１は、印刷装置１１に取り付けられた状態で使用される。そのため、本実施形態の印刷装置１１は、媒体積載装置３１が取り付けられるための取付部２４を備える。取付部２４は、例えば、筐体１２に設けられる。取付部２４は、基台１４に設けられてもよい。
【００１５】
媒体積載装置３１は、媒体９９を受けるシート３２と、シート３２を巻き取る巻取軸３３とを備える。排出口１３から排出される媒体９９は、シート３２上に積載される。シート３２は、例えば、織布、不織布などで構成される。本実施形態のシート３２は、長方形状となる長尺の布である。
【００１６】
本実施形態において、媒体９９は、印刷された印刷面が上方を向く姿勢でシート３２上に積載される。そのため、媒体９９において印刷面とは反対の面である裏面がシート３２に接触する。印刷面がシート３２に接触しないことによって、印刷された画像の品質が、媒体９９がシート３２上に載置されることの影響を受けにくい。
【００１７】
巻取軸３３は、シート３２の一端に取り付けられる。そのため、巻取軸３３が回転すると、シート３２が巻取軸３３に巻き取られる。シート３２が巻取軸３３に巻き取られるときとは逆方向に巻取軸３３が回転すると、シート３２が巻取軸３３から巻き出される。
【００１８】
シート３２は、巻取軸３３から所定量巻き出された状態で使用される。巻取軸３３から巻き出されたシート３２の巻出量に応じて、シート３２が積載可能な媒体９９のサイズが変わる。そのため、本実施形態では、ユーザーが、媒体９９のサイズが大きい場合にはシート３２の巻出量を大きくし、媒体９９のサイズが小さい場合にはシート３２の巻出量を小さくする。このように、ユーザーは、媒体９９のサイズに合わせて、媒体９９を受けるシート３２のサイズを変更できる。なお、本実施形態においては、ユーザーがシート３２の巻出量を変更するが、別途設けられるセンサーで検出された媒体９９のサイズに応じて、ユーザーの操作に拠らずにシート３２の巻出量が変更される構成であってもよい。
【００１９】
シート３２は、巻取軸３３に巻き取られることによってロール状となる。そのため、媒体積載装置３１を使用しない場合には、巻取軸３３がシート３２を巻き取ることによって、媒体積載装置３１がコンパクトになる。
【００２０】
本実施形態において、シート３２は、端部である第１端３４と、第１端３４とは反対に位置する端部である第２端３５とを有する。本実施形態の第１端３４及び第２端３５は、シート３２において短辺となる端部である。第１端３４は、巻取軸３３に取り付けられる。第１端３４は、巻取軸３３の軸線と平行となるように巻取軸３３に取り付けられる。
【００２１】
第２端３５は、印刷装置１１に取り付けられる。第２端３５は、印刷装置１１から取り外すこともできる。第２端３５が印刷装置１１から取り外されると、媒体積載装置３１が印刷装置１１から取り外される。
【００２２】
シート３２の巻き取り及び巻き出しは、巻取軸３３を回転させることによって行われる。そのため、巻取軸３３が取り付けられる第１端３４とは反対に位置する第２端３５が印刷装置１１に取り付けられることによって、巻取軸３３を回転させやすくなる。すなわち、シート３２のサイズを調整しやすい。
【００２３】
本実施形態の媒体積載装置３１は、第２端３５に取り付けられる取付軸３６を備える。第２端３５は、取付軸３６の軸線に平行となるように取付軸３６に取り付けられる。そのため、巻取軸３３によってシート３２が適切に巻き取られた場合、巻取軸３３からシート３２が適切に巻き出された場合などにおいて、取付軸３６は、巻取軸３３と平行となる。本実施形態の取付軸３６は、巻取軸３３と同じ長さである。取付軸３６及び巻取軸３３の長さは、シート３２の幅となる第１端３４及び第２端３５よりも長い。
【００２４】
本実施形態においては、取付軸３６を取付部２４に取り付けることによって、第２端３５が印刷装置１１に取り付けられる。すなわち、取付軸３６を介して第２端３５が印刷装置１１に取り付けられる。本実施形態の取付部２４は、取付軸３６を引っ掛けることができるフックで構成される。これにより、印刷装置１１に対する媒体積載装置３１の取り付け及び取り外しが容易となる。
【００２５】
本実施形態において、第２端３５は、設置面９１よりも高い位置且つ排出口１３よりも低い位置で印刷装置１１に取り付けられる。例えば、取付部２４は、設置面９１よりも高い位置且つ排出口１３よりも低い位置に設けられる。そのため、切断部１９によって切断された媒体９９は、排出口１３からシート３２に向けて落下する。
【００２６】
本実施形態において、シート３２が巻き出された巻取軸３３は、設置面９１に置かれる。この場合、シート３２は、第２端３５から巻取軸３３にかけて下方に傾斜、又は湾曲する姿勢となる。そのため、排出口１３から排出される媒体９９は、シート３２上を滑るようにシート３２に積載される。これにより、媒体９９の排出が促される。排出口１３から排出される媒体９９が排出口１３の近傍に溜まるおそれを低減できる。本実施形態の媒体積載装置３１は、印刷装置１１からその前方に向かってシート３２が延びる状態で使用される。
【００２７】
媒体積載装置３１は、巻取軸３３を回転可能な状態で支持する支持部３７を備えてもよい。支持部３７は、例えば、巻取軸３３の両端を支持する。本実施形態においては、支持部３７が設置面９１に置かれることによって、巻取軸３３が設置面９１に置かれることになる。
【００２８】
図２に示すように、媒体積載装置３１は、シート３２を巻き取る方向に巻取軸３３を回転させる自動巻取機構３８を備えてもよい。自動巻取機構３８は、ユーザーが操作することによって駆動する。本実施形態の自動巻取機構３８は、支持部３７に設けられる。自動巻取機構３８は、例えば、電気の動力によって巻取軸３３を回転させてもよいし、ぜんまいばねの動力によって巻取軸３３を回転させてもよい。
【００２９】
本実施形態のシート３２は、第１端３４及び第２端３５とは異なる端部である第３端４１と、第３端４１とは反対に位置する端部である第４端４２とを有する。本実施形態の第３端４１及び第４端４２は、シート３２において長辺となる端部である。
【００３０】
図３に示すように、媒体積載装置３１は、シート３２を引っ張るための第１調整具４３及び第２調整具４４を備えてもよい。第１調整具４３は、第３端４１と印刷装置１１とに取り付けられる。第２調整具４４は、第４端４２と印刷装置１１とに取り付けられる。第３端４１は、第１調整具４３を介して印刷装置１１に引っ張られる。第４端４２は、第２調整具４４を介して印刷装置１１に引っ張られる。すなわち、第１調整具４３及び第２調整具４４は、シート３２を第３端４１と第４端４２とで引っ張り合う。第１調整具４３及び第２調整具４４を例えばゴムで構成すると、シート３２をより効果的に引っ張ることができる。シート３２を第３端４１と第４端４２とで引っ張り合うことにより、シート３２における第３端４１と第４端４２との間の弛みが低減される。
【００３１】
図４に示すように、シート３２において第３端４１と第４端４２との間における中央部分が下方に弛んでいると、排出口１３から媒体９９が排出される際に、媒体９９の先端における角部分がシート３２に接触する。すなわち、媒体９９の角部分のみに大きく負荷がかかりやすい。このとき、シート３２の弛みが大きいと、シート３２に接触することによって媒体９９の角部分のみに生じる負荷が大きくなりやすい。その結果、媒体９９が折れ曲がるおそれがある。これに対して、第１調整具４３及び第２調整具４４によってシート３２を引っ張ることにより、シート３２の弛みが小さい状態であれば、媒体９９の角部分がシート３２に接触してから、媒体９９の幅方向の中央部分がシート３２に接触するまでの時間が短くなる。したがって、媒体９９の角部分のみに大きな負荷が生じやすい期間が短いため、シート３２に接触することによって生じる媒体９９の負荷を低減できる。
【００３２】
本実施形態の第１調整具４３は、シート３２の第３端４１に固定される。本実施形態の第２調整具４４は、シート３２の第４端４２に固定される。
本実施形態の印刷装置１１は、第１調整具４３が取り付けられるための第１装着部２５と、第２調整具４４が取り付けられるための第２装着部２６とを備える。本実施形態において、第１装着部２５及び第２装着部２６は、第１調整具４３及び第２調整具４４を引っ掛けることができるフックで構成される。第１調整具４３は、その一部分が第１装着部２５に引っ掛けられることによって、第１装着部２５に取り付けられる。第２調整具４４は、その一部分が第２装着部２６に引っ掛けられることによって、第２装着部２６に取り付けられる。
【００３３】
第１調整具４３及び第２調整具４４は、シート３２を引っ張る力の大きさを段階的に調整可能に構成されてもよい。例えば、第１調整具４３及び第２調整具４４は、複数の環状部材で構成されてもよい。本実施形態の第１調整具４３は、第１環状部材４６と、第２環状部材４７と、第３環状部材４８とを有する。第１環状部材４６は、第３端４１と第２環状部材４７とに繋がっている。第２環状部材４７は、第１環状部材４６と第３環状部材４８とに繋がっている。
【００３４】
第１環状部材４６、第２環状部材４７、第３環状部材４８の何れかが第１装着部２５に引っ掛けられることによって、第１調整具４３が印刷装置１１に取り付けられる。第１環状部材４６、第２環状部材４７、第３環状部材４８の何れが第１装着部２５に引っ掛けられるかによって、シート３２を引っ張る力の大きさが変わる。本実施形態の第１調整具４３においては、第３環状部材４８を第１装着部２５に引っ掛けた場合に、シート３２を引っ張る力が最も弱くなる。第１環状部材４６を第１装着部２５に引っ掛けた場合に、シート３２を引っ張る力が最も強くなる。
【００３５】
本実施形態の第２調整具４４は、第４環状部材５１と、第５環状部材５２と、第６環状部材５３とを有する。第４環状部材５１は、第４端４２と第５環状部材５２と繋がっている。第５環状部材５２は、第４環状部材５１と第６環状部材５３とに繋がっている。
【００３６】
第４環状部材５１、第５環状部材５２、第６環状部材５３の何れかが第２装着部２６に引っ掛けられることによって、第２調整具４４が印刷装置１１に取り付けられる。第４環状部材５１、第５環状部材５２、第６環状部材５３の何れが第２装着部２６に引っ掛けられるかによって、シート３２を引っ張る力の大きさが変わる。本実施形態の第２調整具４４においては、第６環状部材５３を第２装着部２６に引っ掛けた場合に、シート３２を引っ張る力が最も弱くなる。第４環状部材５１を第２装着部２６に引っ掛けた場合に、シート３２を引っ張る力が最も強くなる。
【００３７】
次に、上記実施形態の作用及び効果について説明する。
（１）巻取軸３３を回転させることによって、巻取軸３３から巻き出されるシート３２のサイズを調整できる。すなわち、媒体９９のサイズに合わせて、シート３２のサイズを調整できる。これにより、媒体９９が適切に積載される。
【００３８】
（２）第１端３４は、巻取軸３３に取り付けられ、第２端３５は、印刷装置１１に取り付けられる。巻取軸３３が取り付けられる第１端３４とは反対に位置する端部である第２端３５が印刷装置１１に取り付けられることによって、巻取軸３３を回転させやすくなる。すなわち、シート３２のサイズを調整しやすくなる。
【００３９】
（３）第２端３５は、印刷装置１１が設置される設置面９１よりも高い位置且つ排出口１３よりも低い位置で印刷装置１１に取り付けられる。シート３２が巻き出された巻取軸３３を設置面９１に置いた場合、シート３２は、第２端３５から巻取軸３３にかけて下方に傾斜、又は湾曲する姿勢となる。そのため、排出口１３から排出される媒体９９は、シート３２上を滑るようにシート３２に受けられる。これにより、媒体９９の排出が促される。排出口１３から排出される媒体９９が排出口１３の近傍に溜まるおそれを低減できる。
【００４０】
（４）第１調整具４３は、第３端４１と印刷装置１１とに取り付けられ、第２調整具４４は、第４端４２と印刷装置１１とに取り付けられる。巻き出されたシート３２においては、第３端４１と第４端４２との間における中央部分が下方に弛みやすい。シート３２の中央部分が下方に弛んだ状態で媒体９９を受けると、シート３２と接触することによって生じる媒体９９の負荷が大きくなる。この点、上記実施形態によれば、第１調整具４３及び第２調整具４４がシート３２を引っ張り合うことによって、シート３２の弛みを低減できる。これにより、媒体９９がシート３２に接触することによって生じる媒体９９の負荷を低減できる。
【００４１】
（５）第１調整具４３及び第２調整具４４は、シート３２を引っ張る力の大きさを段階的に調整可能に構成される。これにより、媒体９９のサイズに応じてシート３２を引っ張る力を適切な大きさに調整できる。
【００４２】
本実施形態は、以下のように変更して実施することができる。本実施形態及び以下の変更例は、技術的に矛盾しない範囲で互いに組み合わせて実施することができる。
・図５に示すように、巻取軸３３が、印刷装置１１に取り付けられてもよい。この変更例においては、巻取軸３３が取付部２４に取り付けられる。こうすると、媒体積載装置３１を使用しない場合には、巻取軸３３がシート３２を巻き取ることによって、媒体積載装置３１を印刷装置１１に保持させることができる。そのため、使い勝手がよくなる。
【００４３】
媒体積載装置３１が支持部３７を備える場合は、支持部３７が取付部２４に取り付けられることによって、巻取軸３３が印刷装置１１に取り付けられる。そのため、取付部２４は、支持部３７を保持可能に構成される。取付部２４は、巻取軸３３を回転可能に支持する軸受で構成されてもよい。
【００４４】
この変更例において、巻取軸３３は、設置面９１よりも高い位置且つ排出口１３よりも低い位置で印刷装置１１に取り付けられる。例えば、取付部２４は、設置面９１よりも高い位置且つ排出口１３よりも低い位置に設けられる。そのため、切断部１９によって切断された媒体９９は、排出口１３からシート３２に向けて落下する。
【００４５】
巻取軸３３から巻き出されたシート３２の第１端３４は、設置面９１に置かれる。取付軸３６を備える場合においては、取付軸３６が設置面９１に置かれることによって、第１端３４が設置面９１に置かれることになる。
【００４６】
第１端３４が設置面９１に置かれる場合、シート３２は、巻取軸３３から第１端３４にかけて下方に傾斜、又は湾曲する姿勢となる。そのため、排出口１３から排出される媒体９９は、シート３２上を滑るようにシート３２に積載される。これにより、媒体９９の排出が促される。排出口１３から排出される媒体９９が排出口１３の近傍に溜まるおそれを低減できる。
【００４７】
上記変更例によれば、以下の効果を得られる。
（６）第１端３４は、巻取軸３３に取り付けられ、巻取軸３３は、印刷装置１１に取り付けられる。こうすると、媒体積載装置３１を使用しない場合には、巻取軸３３がシート３２を巻き取ることによって、媒体積載装置３１を印刷装置１１に保持させることができる。そのため、使い勝手がよくなる。
【００４８】
（７）巻取軸３３は、印刷装置１１が設置される設置面９１よりも高い位置且つ排出口１３よりも低い位置で印刷装置１１に取り付けられる。巻取軸３３から巻き出されたシート３２の第２端３５を設置面９１に置いた場合、シート３２は、巻取軸３３から第２端３５にかけて下方に傾斜、又は湾曲する姿勢となる。そのため、排出口１３から排出される媒体９９は、シート３２上を滑るようにシート３２に積載される。これにより、媒体９９の排出が促される。排出口１３から排出される媒体９９が排出口１３の近傍に溜まるおそれを低減できる。
【００４９】
・図５に示すように、第１調整具４３は、シート３２に対して取り外し可能とされてもよい。例えば、第１調整具４３は、第３端４１に対して取り外し可能な取付部材５５を有してもよい。取付部材５５は、第１環状部材４６と繋がっている。取付部材５５は、例えばクリップで構成される。第２調整具４４もまた、シート３２から取り外し可能とされてもよい。この場合、第２調整具４４は、第１調整具４３と同様に、取付部材５５を有する。こうすると、第１調整具４３及び第２調整具４４のシート３２に対する位置を変更できるため、シート３２を引っ張る力の大きさをより細かく変更できる。
【００５０】
・第１調整具４３は、環状部材を２つ有する構成でもよいし、４つ以上有する構成でもよい。
・第２調整具４４は、環状部材を２つ有する構成でもよいし、４つ以上有する構成でもよい。
【００５１】
・シート３２において、取付軸３６に代えて、第２端３５に環状部材を設けてもよい。この場合、その環状部材が取付部２４に引っ掛けられることによって、第２端３５が印刷装置１１に取り付けられる。
【００５２】
・第１調整具４３は、紐で構成されてもよい。この場合、その紐を第１装着部２５に結ぶことによって、第１調整具４３が第１装着部２５に取り付けられる。第１装着部２５に対する紐の結び位置を変えることによって、引っ張る力の大きさを調整できる。第２調整具４４も、第１調整具４３と同様に紐で構成されてもよい。
【００５３】
・ロール体９８に代えて、単票の媒体９９が印刷装置１１にセットされてもよい。
・印刷部１８は、インクジェット方式に限らない。印刷部１８は、トナージェット方式、サーマルプリント方式、ドットインパクト方式などでもよい。
【００５４】
・印刷部１８が吐出する液体はインクに限らず、例えば機能材料の粒子が液体に分散又は混合されてなる液状体などでもよい。例えば、印刷部１８が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【００５５】
以下に、上述した実施形態及び変更例から把握される技術的思想及びその作用効果を記載する。
（Ａ）媒体積載装置は、印刷装置の排出口から排出される媒体が積載される媒体積載装置であって、前記媒体を受けるシートと、前記シートを巻き取る巻取軸と、を備える。
【００５６】
この構成によれば、巻取軸を回転させることによって、巻取軸から巻き出されるシートのサイズを調整できる。すなわち、媒体のサイズに合わせて、シートのサイズを調整できる。これにより、媒体が適切に積載される。
【００５７】
（Ｂ）上記媒体積載装置において、前記シートは、端部である第１端と、前記第１端とは反対に位置する端部である第２端とを有し、前記第１端は、前記巻取軸に取り付けられ、前記第２端は、前記印刷装置に取り付けられてもよい。
【００５８】
シートの巻き取り及び巻き出しは、巻取軸を回転させることによって行われる。上記構成によれば、巻取軸が取り付けられる第１端とは反対に位置する端部である第２端が印刷装置に取り付けられることによって、巻取軸を回転させやすくなる。すなわち、シートのサイズを調整しやすくなる。
【００５９】
（Ｃ）上記媒体積載装置において、前記第２端は、前記印刷装置が設置される設置面よりも高い位置且つ前記排出口よりも低い位置で前記印刷装置に取り付けられてもよい。
この構成によれば、シートが巻き出された巻取軸を設置面に置いた場合、シートは、第２端から巻取軸にかけて下方に傾斜、又は湾曲する姿勢となる。そのため、排出口から排出される媒体は、シート上を滑るようにシートに受けられる。これにより、媒体の排出が促される。排出口から排出される媒体が排出口の近傍に溜まるおそれを低減できる。
【００６０】
（Ｄ）上記印刷装置において、前記シートは、端部である第１端と、前記第１端とは反対に位置する端部である第２端とを有し、前記第１端は、前記巻取軸に取り付けられ、前記巻取軸は、前記印刷装置に取り付けられてもよい。
【００６１】
この構成によれば、媒体積載装置を使用しない場合には、巻取軸がシートを巻き取ることによって、媒体積載装置を印刷装置に保持させることができる。そのため、使い勝手がよくなる。
【００６２】
（Ｅ）上記印刷装置において、前記巻取軸は、前記印刷装置が設置される設置面よりも高い位置且つ前記排出口よりも低い位置で前記印刷装置に取り付けられてもよい。
この構成によれば、巻取軸から巻き出されたシートの第２端を設置面に置いた場合、シートは、巻取軸から第２端にかけて下方に傾斜、又は湾曲する姿勢となる。そのため、排出口から排出される媒体は、シート上を滑るようにシートに積載される。これにより、媒体の排出が促される。排出口から排出される媒体が排出口の近傍に溜まるおそれを低減できる。
【００６３】
（Ｆ）上記印刷装置は、前記シートを引っ張るための第１調整具及び第２調整具を備え、前記シートは、前記第１端及び前記第２端とは異なる端部である第３端と、前記第３端とは反対に位置する端部である第４端とを有し、前記第１調整具は、前記第３端と前記印刷装置とに取り付けられ、前記第２調整具は、前記第４端と前記印刷装置とに取り付けられてもよい。
【００６４】
巻き出されたシートにおいては、第３端と第４端との間における中央部分が下方に弛みやすい。シートの中央部分が下方に弛んだ状態で媒体を受けると、シートと接触することによって生じる媒体の負荷が大きくなる。この点、上記構成によれば、第１調整具及び第２調整具がシートを引っ張り合うことによって、シートの弛みを低減できる。これにより、媒体がシートに接触することによって生じる媒体の負荷を低減できる。
【００６５】
（Ｇ）上記印刷装置において、前記第１調整具及び前記第２調整具は、前記シートを引っ張る力の大きさを段階的に調整可能に構成されてもよい。
この構成によれば、媒体のサイズに応じてシートを引っ張る力を適切な大きさに調整できる。
【符号の説明】
【００６６】
１１…印刷装置、１２…筐体、１３…排出口、１４…基台、１５…搬送部、１６…第１ローラー、１７…第２ローラー、１８…印刷部、１９…切断部、２１…第１回転刃、２２…第２回転刃、２４…取付部、２５…第１装着部、２６…第２装着部、３１…媒体積載装置、３２…シート、３３…巻取軸、３４…第１端、３５…第２端、３６…取付軸、３７…支持部、３８…自動巻取機構、４１…第３端、４２…第４端、４３…第１調整具、４４…第２調整具、４６…第１環状部材、４７…第２環状部材、４８…第３環状部材、５１…第４環状部材、５２…第５環状部材、５３…第６環状部材、５５…取付部材、９１…設置面、９８…ロール体、９９…媒体。
【図１】
2020138828.tif 000003
【図２】
2020138828.tif 000004
【図３】
2020138828.tif 000005
【図４】
2020138828.tif 000006
【図５】
2020138828.tif 000007